(57)【要約】      （修正有）【課題】高さを調整することができるとともに、使用者の異なる姿勢に応じてその表面が使用者の各部位に完全にフィットする、高さ調整装置及びそれを使用したクッション体を提供する。【解決手段】高さ調整装置１は、第一空気袋１０と、第二空気袋２０と、少なくとも一つの空気制御ユニットとによって構成する。第一空気袋には、内部に弾性体を具える袋体１１が設けられる。第二空気袋は、第一空気袋の下方に設けられるとともに、内部に弾性体を具える袋体２１が設けられる。少なくとも一つの空気制御ユニットは、第一空気袋と第二空気袋の内の少なくとも一つに連結される。本クッション体２は、カバー体３０と、カバー体内に設けられた少なくとも一つの高さ調整装置とによって構成する。【選択図】図４
0003160804.tif 000002
【実用新案登録請求の範囲】
【請求項１】
内部に弾性体を具えた袋体が設けられた第一空気袋と、
第一空気袋の下方に設けられるとともに、、内部に弾性体を具えた袋体が設けられた第二空気袋と、
第一空気袋か、第二空気袋の内の少なくとも一方に連結される少なくとも一つの空気制御ユニットとによって構成することを特徴とする、高さ調整装置。
【請求項２】
カバー体と、カバー体内に設けられる少なくとも一つの高さ調整装置とによって構成するクッション体において、
前記少なくとも一つの高さ調整装置は、
内部に弾性体を具えた袋体が設けられた第一空気袋と、
第一空気袋の下方に設けられるとともに、、内部に弾性体を具えた袋体が設けられた第二空気袋と、
第一空気袋か、第二空気袋の内の少なくとも一方に連結される少なくとも一つの空気制御ユニットとによって構成することを特徴とする、クッション体。
【請求項３】
前記カバー体には帯体が設けられることを特徴とする、請求項２に記載のクッション体。
【考案の詳細な説明】
【技術分野】
【０００１】
本考案は、人体工学に完全に符号しているとともに、持ち運んで使用するのに便利な、高さ調整装置及びそれを使用したクッション体に関する。
【背景技術】
【０００２】
現在、高さや硬さが調整可能な枕やクッション体はいくつか存在するものの、これらの枕やクッション体の構造はかなり複雑であり、しかも、高さと硬さと形状の全ての調整ができる機能を同時にもたせることはできない。睡眠工学の観点からみると、従来の高さと硬さが調整可能な枕やクッション体の構造はまだ理想的な状態に達しているとはいえない。
【考案の概要】
【考案が解決しようとする課題】
【０００３】
そこで、本考案は、高さを調整することができるとともに、使用者の異なる姿勢に応じてその表面が使用者の各部位に完全にフィットする、高さ調整装置及びそれを使用したクッション体を提供することを目的とする。
【課題を解決するための手段】
【０００４】
本考案による高さ調整装置は、第一空気袋と、第二空気袋と、少なくとも一つの空気制御ユニットとによって構成する。第一空気袋には、内部に弾性体を具える袋体が設けられる。第二空気袋は、第一空気袋の下方に設けられるとともに、内部に弾性体を具える袋体が設けられる。少なくとも一つの空気制御ユニットは、第一空気袋と第二空気袋の内の少なくとも一つに連結される。
【０００５】
本考案によるクッション体は、カバー体と、カバー体内に設けられた少なくとも一つの高さ調整装置とによって構成する。高さ調整装置は、第一空気袋と、第二空気袋と、少なくとも一つの空気制御ユニットとによって構成する。第一空気袋には、内部に弾性体を具える袋体が設けられる。第二空気袋は、第一空気袋の下方に設けられるとともに、内部に弾性体を具える袋体が設けられる。少なくとも一つの空気制御ユニットは、第一空気袋と第二空気袋の内の少なくとも一つに連結される。クッション体の表面は、使用者の異なる姿勢に応じて波動状を形成し自動的に形状が調整され、クッション体に接触した使用者の各部位に完全にフィットする。本考案は、高さと硬さと形状などを調整できる機能をもっていて、人体工学に完全に符号しており、また、持ち運んで使用するのにも便利である。
【図面の簡単な説明】
【０００６】
【図１】本考案による高さ調整装置の構造を示した分解斜視図である。
【図２】本考案による高さ調整装置の高さを低くした状態を示した断面図である。
【図３】本考案による高さ調整装置の高さを高くした状態を示した断面図である。
【図４】本考案のクッション体の構造を示した分解斜視図である。
【図５】本考案のクッション体を枕に取り付けた状態を示した説明図である。
【図６】本考案のクッション体を使用した状態を示した断面図である。
【図７】本考案の実施例２による高さ調整装置の構造を示した分解斜視図である。
【図８】仰向けに寝た状態の頭を本考案のクッション体にのせた際に高さを高くした状態を示した断面図である。
【図９】仰向けに寝た状態の頭を本考案のクッション体にのせた際に高さを低くした状態を示した断面図である。
【図１０】横向けに寝た状態の頭を本考案のクッション体にのせた際に高さを高くした状態を示した断面図である。
【図１１】横向けに寝た状態の頭を本考案のクッション体にのせた際に高さを低くした状態を示した断面図である。
【図１２】本考案のクッション体が異なる姿勢に合わせて自動的に形状が調整され頭に完全にフィットする過程を示した説明図である。
【図１３】本考案のクッション体を背もたれとして使用した状態を示した説明図である。
【図１４】本考案のクッション体を座布団として使用した状態を示した説明図である。
【図１５】本考案による高さ調整装置とクッション体の各種組合せ形態や構造を簡略的に示した説明図である。
【図１６】本考案による高さ調整装置とクッション体の各種組合せ形態や構造を簡略的に示した説明図である。
【図１７】本考案による高さ調整装置とクッション体の各種組合せ形態や構造を簡略的に示した説明図である。
【図１８】本考案による高さ調整装置とクッション体の各種組合せ形態や構造を簡略的に示した説明図である。
【図１９】本考案による高さ調整装置とクッション体の各種組合せ形態や構造を簡略的に示した説明図である。
【図２０】本考案による高さ調整装置とクッション体の各種組合せ形態や構造を簡略的に示した説明図である。
【図２１】本考案による高さ調整装置とクッション体の各種組合せ形態や構造を簡略的に示した説明図である。
【図２２】本考案による高さ調整装置とクッション体の各種組合せ形態や構造を簡略的に示した説明図である。
【図２３】本考案による高さ調整装置とクッション体の各種組合せ形態や構造を簡略的に示した説明図である。
【図２４】本考案による高さ調整装置を枕に埋め込んだ状態を示した斜視図である。
【図２５】図２４の構造を示した断面図である。
【考案を実施するための形態】
【０００７】
（実施例１）
図１から図３に示すように、本考案の実施例１による高さ調整装置１は、第一空気袋１０と、第二空気袋２０とによって構成する。以下に詳細な説明を行う。
【０００８】
第一空気袋１０には変形可能な袋体１１が設けられ、袋体１１内には弾性体１２が設けられる。弾性体１２は、ウレタンフォーム等の発泡材料、プラスチック、ゴム等の弾性材料にすることができ、本実施例ではウレタンフォームを採用する。袋体１１には空気制御ユニット１３が設けられ、空気制御ユニット１３は管体１３１によって袋体１１と連通される。管体１３１の一端には弁体１３２が設けられ、弁体１３２を開いたり閉じたりすることにより、外部の空気を管体１３１を通じて袋体１１内に進入させることや、或いは、袋体１１内の空気を管体１３１を通じて排出させることができ、それにより、弾性体１２を膨らませたり萎ませたりして、第一空気袋１０の高さ、硬さを調整することができる。さらに、第一空気袋１０の高さを調整した後、袋体１１を閉じると、袋体１１の内部は一定の圧力が保持された状態になる。
【０００９】
第二空気袋２０は、第一空気袋１０を支えるために第一空気袋１０の下方に設けられるとともに、、第二空気袋２０には変形可能な袋体２１が設けられる。袋体２１内には弾性体２２が設けられ、弾性体２２は、ウレタンフォーム、プラスチック、ゴム等の弾性材料にすることができ、本実施例ではウレタンフォームを採用する。袋体２１には空気制御ユニット１４が設けられ、空気制御ユニット１４は、管体１４１によって袋体２１と連通される。管体１４１の一端には弁体１４２が設けられ、弁体１４２を開いたり閉じたりすることにより、外部の空気を管体１４１を通じて袋体１１内に進入させることや、或いは、袋体２１内の空気を管体１４１を通じて排出させることができ、それにより、弾性体２２を膨らませたり萎ませたりして、第二空気袋２０の高さ、硬さを調整することができる。さらに、第二空気袋２０の高さを調整した後、袋体２１を閉じると、袋体２１の内部は一定の圧力が保持された状態になる。第一空気袋１０と第二空気袋２０周辺は、溶接加工によって連結され、第一空気袋１０と第二空気袋２０は上下にぴったりと重ねられた状態になる。
【００１０】
また、図３に示すように、弁体１３２、１４２を開くと、外部の空気は管体１３１、１４１を通じて袋体１１、２１内に進入し、その進入した空気によって弾性体１２、２２は自動的に膨らみ、それにより袋体１１、２１も膨らみ、第一空気袋１０と第二空気袋２０の高さが高くなる。
【００１１】
図４と図５に示すように、本考案のクッション体２はカバー体３０を具え、カバー体３０には、任意の枕４０に取り付けて固定するための帯体３１が設けられ、カバー体３０内には、柔軟層３２、及び本考案の高さ調整装置１が詰められ、その柔軟層３２によって、使用者がカバー体３０に接触した時に心地よい感触を与えることができる。また、高さ調整装置１の袋体１１、２１は二つ設けられる。クッション体２の体積は一般的な枕と比べてはるかに小さいため、持ち運んで使用するのに便利である。なお、クッション体２は、枕４０に取り付けて使用せずに、それ自体を直接枕として使用することもできる。
【００１２】
図６に示すように、使用者は仰向けに寝た状態で頭、首、肩などを本考案のクッション体２に接触させ、その後、弁体１３２、１４２を開くと、外部の空気が袋体１１、２１内に進入し、第一空気袋１０と第二空気袋２０の高さと硬さを調整することができる。その内、第二空気袋２０は一定の高さをもちつつ第一空気袋１０を支えており、頭部が第一空気袋１０と第二空気袋２０に接触すると、袋体１１、２１は自動的に調整されて凹んだ状態になり完全に頭、首、肩などにフィットする。また、使用者によって、弁体１３２、１４２が閉じられると、袋体１１、２１の凹んだ部位の形状が保たれ、頭、首、肩などを支える効果があり、人体工学に完全に符号している。
【００１３】
（実施例２）
図７に示すように、本考案の実施例２による高さ調整装置１は、第一空気袋１０ａに二つの袋体１１ａ、或いは、実際の需要に応じて二つ以上の袋体が設けられる。また、空気制御ユニット１３ａは、管体１３１ａと弁体１３２ａとを具え、管体１３１ａの一端は分岐し、それぞれ二つの袋体１１ａに連通される。
【００１４】
図８に示すように、本考案の実施例２による高さ調整装置１はクッション体２内に詰めることができ、クッション体２は枕４０の上に取り付けることができる。使用者は仰向けに寝た状態で頭、首、肩などをクッション体２に接触させた後、弁体１３２ａ、１４２を開き、外部の空気を袋体１１ａ、２１内に進入させ、袋体１１ａ、２１を必要な高さになるまで膨らませると、袋体１１ａ、２１は自動的に調整されて凹んだ形状になり、頭、首、肩などに完全にフィットする。その後、弁体１３２ａ、１４２を閉じると空気は進入しなくなり、袋体１１ａ、２１の内部は一定の圧力が保持された状態になり、ひいては、第一空気袋１０ａと第二空気袋２０（即ちクッション体２）の高さと硬さが固定される。
【００１５】
図９に示すように、仰向けに寝た状態で頭、首、肩などをクッション体２に接触させた際に、使用者がクッション体２の高さが高すぎると感じた場合は、弁体１３２ａ、１４２を開き、手や頭で袋体１１ａ、２１を下に押すことで、弾性体１２ａ、２２及び袋体１１ａ、２１内部から空気が排出され、袋体１１ａ、２１は萎んで高さが低くなり、袋体１１ａ、２１は自動的に凹んだ状態になり頭、首、肩などに完全にフィットする。その後、弁体１３２ａ、１４２を閉じると空気は進入しなくなり、袋体１１ａ、２１の内部は一定の圧力が保持された状態になり、ひいては第一空気袋１０ａと第二空気袋２０（即ちクッション体２）の高さと硬さが固定される。
【００１６】
要するに、使用者は、寝る前に、クッション体２を調整して、仰向けに寝た状態の自分の頭、首、肩などに丁度良い高さと硬さにする。
【００１７】
また、管体１３１ａ、１４１と弁体１３２ａ、１４２は使用者の左右両側に配置されているため、使用者の各部位がクッション体２に接触した時（例えば、寝た状態、寄りかかった状態、或いは座った状態などの姿勢）、体を起こさずにクッション体２への空気の進入、排出の動作を行うことができる。
【００１８】
図１０と図１１に示すように、横向きに寝た状態で頭、首、肩などをクッション体２に接触させた際に、第一空気袋１０ａと第二空気袋２０に空気を進入させたり排出させたりすることで、クッション体２を、個人の横向きに寝た状態の頭、首、肩などが必要とする高さと硬さに調整することができる。クッション体２の操作の動作や原理は図８、図９と同様であり、ここでは記載を省略する。
【００１９】
図１２に示すように、使用者が、クッション体２を、仰向けに寝た状態或いは横向きに寝た状態の頭、首、肩などに適した高さや硬さに調整した後、寝ている時に、姿勢が変わるのは避けられない。その時、第一空気袋１０ａの袋体１１ａ内は一定の圧力状態が保たれているとともに相互に連通しているため、頭が袋体１１ａの凹んだ元の位置から袋体１１ａの別の箇所へ移動した時、袋体１１ａの別の箇所内の空気は、弾性体１２ａが頭、首、肩などの圧力を受けることによりすぐに流動し、袋体１１ａの凹んだ元の位置の空気が補填されるとともに、頭が最終的に接触する袋体１１ａの表面は凹み、また、袋体１１ａの表面は、異なる睡眠姿勢の頭、首、肩などに応じて、波動状を形成して自動的に形状が調整され、頭、首、肩などに完全にフィットする。このように、クッション体２は、高さと硬さと形状を調整できる機能を有し、人体工学に完全に符号している。
【００２０】
図１３と図１４に示すように、本考案のクッション体２は、肩、首、臀部といった人体の各部位に接触させ、背もたれや座布団として使用することができ、使用者が寄りかかった時や座った時に心地よい感覚を得ることができるとともに、臀部などの形を整える効果も有する。
【００２１】
図１５から図２３に示すように、本考案クッション体２内の高さ調整装置１の空気袋の袋体は、需要に応じて、その数を増設したり、それらを任意に配列させたりすることができ、また、空気制御ユニットの管体も、需要に応じて、その数を増設したり、それらを任意に配列させ各袋体に連結させたりすることができる。
【００２２】
図２４と図２５に示すように、本考案の高さ調整装置１は、枕５０内に埋め込むことができる。枕５０は、形状記憶ウレタンフォーム枕であり、空気制御ユニット１３ｂの管体１３１ｂは一つにまとめられて連結されており、弁体１３２ｂは一体に連結されている。以上の構造により、使用や製造する際に便利である。
【符号の説明】
【００２３】
１          高さ調整装置      
１０        第一空気袋
１１        袋体                      
１２        弾性体
１３        空気制御ユニット              
１３１      管体
１３２      弁体                      
１４        空気制御ユニット
１４１      管体                      
１４２      弁体
２０        第二空気袋          
２１        袋体
２２        弾性体                  
２          クッション体
３０        カバー体                      
３１        帯体
３２        柔軟層                  
４０        枕
５０        枕                      
１０ａ      第一空気袋
１１ａ      袋体                      
１２ａ      弾性体
１３ａ      空気制御ユニット              
１３１ａ      管体
１３２ａ      弁体                    
１３ｂ        空気制御ユニット
１３１ｂ      管体                    
１３２ｂ      弁体
【図１】
0003160804.tif 000003
【図２】
0003160804.tif 000004
【図３】
0003160804.tif 000005
【図４】
0003160804.tif 000006
【図５】
0003160804.tif 000007
【図６】
0003160804.tif 000008
【図７】
0003160804.tif 000009
【図８】
0003160804.tif 000010
【図９】
0003160804.tif 000011
【図１０】
0003160804.tif 000012
【図１１】
0003160804.tif 000013
【図１２】
0003160804.tif 000014
【図１３】
0003160804.tif 000015
【図１４】
0003160804.tif 000016
【図１５】
0003160804.tif 000017
【図１６】
0003160804.tif 000018
【図１７】
0003160804.tif 000019
【図１８】
0003160804.tif 000020
【図１９】
0003160804.tif 000021
【図２０】
0003160804.tif 000022
【図２１】
0003160804.tif 000023
【図２２】
0003160804.tif 000024
【図２３】
0003160804.tif 000025
【図２４】
0003160804.tif 000026
【図２５】
0003160804.tif 000027